(57)【要約】      （修正有）【課題】容易に組み立てることができ、かつ製造コストが比較的低廉で簡単な構造であり、様々なスペースに対応することができる整理棚を提供する。【解決手段】多数の細長開口部１２が設けられ長手方向と短手方向に設けられた複数のリブ部材を有し接離自在とされてなる一対の端部棚板部材１６ａ，１６ｂ及び一以上の中間棚板部材１８ａ，１８ｂを並置せしめてなる棚板２０と、前記棚板の長手方向両端部に設けられ伸縮自在とされてなるスライドパイプと、前記棚板の下面の四隅に立設せしめられる上部支柱２６と、前記上部支柱に伸縮自在に取り付けられ、前記棚板の短手方向で連結されてなる下部支柱２８と、前記棚板の上面の四隅に設けられる支柱受け部３０と、を含み、前記一対の端部棚板部材の間に前記中間棚板部材を着脱自在に並置せしめることで、棚板面積を可変としてなるようにした。【選択図】図１
0003155571.tif 000002
【実用新案登録請求の範囲】
【請求項１】
多数の細長開口部が設けられ長手方向と短手方向に設けられた複数のリブ部材を有し接離自在とされてなる一対の端部棚板部材及び一以上の中間棚板部材を並置せしめてなる棚板と、前記棚板の長手方向両端部に設けられ伸縮自在とされてなるスライドパイプと、前記棚板の下面の四隅に立設せしめられる上部支柱と、前記上部支柱に伸縮自在に取り付けられ、前記棚板の短手方向で連結されてなる下部支柱と、前記棚板の上面の四隅に設けられる支柱受け部と、を含み、前記一対の端部棚板部材の間に前記中間棚板部材を着脱自在に並置せしめることで、棚板面積を可変としてなることを特徴とする整理棚。
【請求項２】
前記上部支柱が出没自在とされた突起部を有し、前記下部支柱が中空とされ且つ長手方向に複数の孔部を有し、前記下部支柱が前記上部支柱よりも径大とされてなり、前記上部支柱の突起部を没入させた状態で前記上部支柱を前記下部支柱内部に挿入せしめ、前記突起部を突出させて前記上部支柱の突起部が前記下部支柱の複数の孔部のいずれかに係合せしめられることで、前記棚板の高さ調整が可能とされてなることを特徴とする請求項１記載の整理棚。
【請求項３】
前記スライドパイプが、先端が開口された径大パイプとその開口部に摺動可能に嵌入せしめられた径小パイプとから構成されてなり、前記径大パイプの開口部近傍内周面にパイプリングを取り付け、嵌入される前記径小パイプの先端部分を前記径小パイプの後端部分よりも径小な径小段部とし、前記径小段部の複数箇所にパイプスペーサーを設けてなることを特徴とする請求項１又は２記載の整理棚。
【請求項４】
押し入れにおける収納に用いることを特徴とする請求項１〜３いずれか１項記載の整理棚。
【考案の詳細な説明】
【技術分野】
【０００１】
本考案は、棚板の上面及び下面に物を収納して整理整頓するのに用いられる整理棚、例えば押し入れの中などに設置して整理整頓するのに用いられる整理棚に関する。
【背景技術】
【０００２】
従来、特に家庭や店頭・店内等で、物を整理整頓するのにいろいろな整理棚が用いられている。このうち、例えば押し入れ内に設置して用いられる整理棚として、特許文献１に記載されたものが知られている。
【０００３】
特許文献１に記載された押し入れ整理棚では、複数の押し入れ整理棚を一枚板のように安定して連結することで、様々なスペースに対応している。
【０００４】
しかしながら、複数の押し入れ整理棚を購入するにはそれだけ購入費がかかるし、一方で、なるべく様々なスペースに対応した整理棚が欲しいというニーズも存在する。
【先行技術文献】
【特許文献】
【０００５】
【特許文献１】実用新案登録第３０８１７７２号公報
【考案の概要】
【考案が解決しようとする課題】
【０００６】
本考案は、上記問題点に鑑みてなされたものであり、容易に組み立てることができ、かつ製造コストの比較的低廉な簡単な構造であり、様々なスペースに対応することができる整理棚を提供することを目的とする。
【課題を解決するための手段】
【０００７】
上記課題を解決するために、本考案の整理棚は、多数の細長開口部が設けられ長手方向と短手方向に設けられた複数のリブ部材を有し接離自在とされてなる一対の端部棚板部材及び一以上の中間棚板部材を並置せしめてなる棚板と、前記棚板の長手方向両端部に設けられ伸縮自在とされてなるスライドパイプと、前記棚板の下面の四隅に立設せしめられる上部支柱と、前記上部支柱に伸縮自在に取り付けられ、前記棚板の短手方向で連結されてなる下部支柱と、前記棚板の上面の四隅に設けられる支柱受け部と、を含み、前記一対の端部棚板部材の間に前記中間棚板部材を着脱自在に並置せしめることで、棚板面積を可変としてなることを特徴とする。
【０００８】
このようにすれば、設置スペースに合わせて、棚板面積を容易に広げたり狭めたりすることができる。また、前記棚板部材に多数の細長開口部を設け、前記棚板部材の長手方向と短手方向に複数のリブ部材を設けているので、通気性がよく、また、棚板部材の強度も強いという利点がある。前記複数のリブ部材は、前記細長開口部の周縁部に沿ってリブ部材を設け、前記細長開口部の周縁部に沿って設けられたリブ部材に直交するように複数のリブ部材を設けるようにするのが好適である。前記棚板は、例えばポリプロピレン等の合成樹脂で構成すればよい。
【０００９】
また、前記支柱受け部に前記下部支柱を嵌入せしめることで、複数の整理棚を安定させて積み重ねて使うことができる。
【００１０】
また、前記上部支柱が出没自在とされた突起部を有し、前記下部支柱が中空とされ且つ長手方向に複数の孔部を有し、前記下部支柱が前記上部支柱よりも径大とされてなり、前記上部支柱の突起部を没入させた状態で前記上部支柱を前記下部支柱内部に挿入せしめ、前記突起部を突出させて前記上部支柱の突起部が前記下部支柱の複数の孔部のいずれかに係合せしめられることで、前記棚板の高さ調整が可能とされてなるのが好適である。
【００１１】
このようにすれば、例えば前記孔部を４個設ければ、棚板の高さを４段階に調整可能となる。出没自在とされた前記突起部としては、例えば金属製のボタン部材を、例えばフック状のバネ部材などを用いて出没自在に構成すればよい。
【００１２】
さらに、前記スライドパイプが、先端が開口された径大パイプとその開口部に摺動可能に嵌入せしめられた径小パイプとから構成されてなり、前記径大パイプの開口部近傍内周面にパイプリングを取り付け、嵌入される前記径小パイプの先端部分を前記径小パイプの後端部分よりも径小な径小段部とし、前記径小段部の複数箇所にパイプスペーサーを設けるように構成するのが好ましい。前記スライドパイプは、例えばスチールで作製することができ、パイプリングやパイプスペーサーは、例えばポリプロピレン等の合成樹脂で構成すればよい。
【００１３】
このように構成すれば、棚板のがたつきを防止でき、また、前記径小パイプが前記径大パイプから抜け落ちてしまうことを防止できる。
【００１４】
本考案に係る整理棚は、棚板の上面及び下面に物を収納して整理整頓することが出来るので、家庭や店頭・店内等のさまざまな場所で使用できる。また、例えば押し入れにおける収納にも好適に用いることができる。
【考案の効果】
【００１５】
本考案によれば、容易に組み立てることができ、かつ製造コストの比較的低廉な簡単な構造であり、様々なスペースに対応することができる整理棚を提供することができるという著大な効果を奏する。
【考案を実施するための形態】
【００１６】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００１７】
【図１】本考案の整理棚を示す斜視図である。
【図２】図１の要部拡大図である。
【図３】図１の分解図である。
【図４】図３の要部拡大図である。
【図５】図４の一部縦断面図である。
【図６】スライドパイプの分解図を示す斜視図である。
【図７】図１の一部分解図である。
【００１８】
図において、符号１０は本考案の整理棚を示す。整理棚１０は、図１〜図３によく示される如く、多数の細長開口部１２が設けられ長手方向と短手方向に設けられた複数のリブ部材１４を有し接離自在とされてなる一対の端部棚板部材１６ａ，１６ｂ及び一以上の中間棚板部材１８ａ，１８ｂを並置せしめてなる棚板２０と、前記棚板２０の長手方向両端部２２ａ，２２ｂに設けられ伸縮自在とされてなるスライドパイプ２４と、前記棚板２０の下面の四隅に立設せしめられる上部支柱２６と、前記上部支柱２６に伸縮自在に取り付けられ、前記棚板２０の短手方向で連結部２７で連結されてなる下部支柱２８と、前記棚板２０の上面の四隅に設けられる支柱受け部３０と、を含み、前記一対の端部棚板部材１６ａ，１６ｂの間に前記中間棚板部材１８ａ，１８ｂを着脱自在に並置せしめることで、棚板２０の面積が可変とされている。
【００１９】
図示例では、中間棚板部材は二つ並置せしめた例を示したが、一以上であればよいもので、その数に特別の限定はない。
【００２０】
また、図４によく示される如く、前記上部支柱２６は出没自在とされた突起部３２を有し、前記下部支柱２８が中空とされ且つ長手方向に複数の孔部３４を有している。前記下部支柱２８は前記上部支柱２６よりも径大とされてなり、図５によく示されるように、突起部３２（図示例では金属製ボタン部材）は、フック状のバネ部材３６で支承されることで、出没自在に構成されている。
【００２１】
そして、前記上部支柱２６の突起部３２を没入させた状態で前記上部支柱２６を前記下部支柱２８内部に挿入せしめ、前記突起部３２を突出させて前記上部支柱２６の突起部３２が前記下部支柱２８の複数の孔部３４のいずれかに係合せしめられることで、前記棚板２０の高さ調整が可能とされている。
【００２２】
また、前記スライドパイプ２４は、図６によく示されるように、先端が開口された径大パイプ３８とその開口部４０に摺動可能に嵌入せしめられた径小パイプ４２とから構成されている。前記径大パイプ３８の開口部４０近傍内周面には合成樹脂製のパイプリング４４が取り付けられ、嵌入される前記径小パイプ４２の先端部分４６が前記径小パイプ４２の後端部分４８よりも径小な径小段部５０とされており、前記径小段部５０の複数箇所にパイプスペーサー５２を設けることで、棚板２０のがたつきを防止し、また、前記径小パイプ４２が前記径大パイプ３８から抜け落ちてしまうことを防止するように構成されている。前記パイプスペーサー５２は、図示例では、合成樹脂製の一部開口環状部材とされている。
【００２３】
このような構成により、中間棚板部材１８ｂを取り外して端部棚板部材１６ｂをスライドさせれば、棚板２０の面積は小さくなるし、図７によく示されるように、端部棚板部材１６ｂをスライドさせて中間棚板部材１８ｂを取り付ければ、棚板２０の面積は大きくなる。図示例では、中間棚板部材を２枚とした場合を示したが、中間棚板部材の枚数に特別の限定はない。
【産業上の利用可能性】
【００２４】
以上のように、本考案の整理棚によれば、容易に組み立てることができ、かつ製造コストの比較的低廉な簡単な構造であり、様々なスペースに対応することができる。本考案の整理棚は、家庭や店頭・店内等のさまざまな場所で使用でき、例えば押し入れにおける収納にも好適に用いることができる。
【符号の説明】
【００２５】
１０：本考案の整理棚、１２：細長開口部、１４：リブ部材、１６ａ，１６ｂ：端部棚板部材、１８ａ，１８ｂ：中間棚板部材、２０：棚板、２２ａ，２２ｂ：長手方向両端部、２４：スライドパイプ、２６：上部支柱、２７：連結部、２８：下部支柱、３０：支柱受け部、３２：突起部、３４：孔部、３６：バネ部材、３８：径大パイプ、４０：開口部、４２：径小パイプ、４４：パイプリング、４６：先端部分、４８：後端部分、５０：径小段部、５２：パイプスペーサー。
【図１】
0003155571.tif 000003
【図２】
0003155571.tif 000004
【図３】
0003155571.tif 000005
【図４】
0003155571.tif 000006
【図５】
0003155571.tif 000007
【図６】
0003155571.tif 000008
【図７】
0003155571.tif 000009